(57)【要約】  浮体構造物は少なくとも１つのデッキ構造体２を備え、デッキ構造体２はデッキ面２１を有し、デッキ構造体２上に少なくとも１つの空間ユニット３が配置される。空間ユニットは、排出管８が設けられた床構造体６１を有するウェット・スペースを含む。さらに、空間ユニット３には、底部５１を有する外部サービス設備が設けられる。デッキ構造体２には、外部サービス設備５の底部５１の少なくとも表面区域に相当する凹部２２が設けられる。外部サービス設備５の少なくとも底部５１はデッキ面２１より下の所与の高さにある。ウェット・スペースに関連するあらゆる漏れを監視する、又は集めるために、低表面が、漏れ検出器１０、又は下水管１１が設けられたサービス設備５の底部５１によって少なくとも提供される。
2017509540.tif 000002
【特許請求の範囲】
【請求項１】
少なくとも１つのデッキ構造体（２）を備える浮体構造物であって、前記デッキ構造体（２）がデッキ面（２１）を有し、前記デッキ構造体（２）上に少なくとも１つの空間ユニット（３）が配置され、前記空間ユニットがウェット・スペース（６）を含み、前記ウェット・スペース（６）が所与の高さの床構造体（６１）を備え、前記床構造体（６１）には排出管（８）が設けられ、且つ、前記空間ユニット（３）には、底部（５１）を有する外部サービス設備（５）が設けられ、前記デッキ構造体（２）には凹部（２２、２２１、２２２）が設けられ、前記凹部（２２、２２１、２２２）の区域が、前記外部サービス設備（５）の前記底部（５１）の少なくとも表面区域に相当し、ここにおいて、前記外部サービス設備（５）の少なくとも前記底部（５１）が前記デッキ面（２１）より下の所与の高さにある、浮体構造物において、少なくとも前記外部サービス設備（５）の前記底部（５１）によって提供された低表面区域（Ａ）には、前記凹部で生じるあらゆる漏れを監視するための漏れ検出器（１０）、及び前記凹部で生じるあらゆる漏れを受け入れるための下水管（１１、１２）が設けられることを特徴とする浮体構造物。
【請求項２】
少なくとも前記外部サービス設備（５）の前記底部（５１）によって提供された前記低表面区域（Ａ）に、前記下水管（１１、１２）のために開口（５２）が設けられることを特徴とする、請求項１に記載の浮体構造物。
【請求項３】
前記凹部（２２、２２１、２２２）が、壁と底部とを有する樋の形態であることを特徴とする、請求項１に記載の浮体構造物。
【請求項４】
前記デッキ組立体（２）に設けられた前記凹部（２２、２２１、２２２）が、少なくとも、前記ウェット・スペース（６）の前記床構造体（６１）の表面区域、及び前記外部サービス設備（５）の前記底部（５１）の前記表面区域に相当する区域を有し、且つ、前記ウェット・スペース（６）の前記床構造体（６１）、及び前記外部サービス設備（５）の前記底部（５１）が、前記デッキ面（２１）より下の所与の高さにあることを特徴とする、請求項１に記載の浮体構造物。
【請求項５】
前記デッキ構造体（２）に配置された前記凹部（２２、２２１、２２２）が、前記外部サービス設備（５）の奥行（ｓ３）、又は前記ウェット・スペース（６）の奥行（ｓ４）に相当する幅（Ｌ１、Ｌ２）を有することを特徴とする、請求項１、３、又は４に記載の浮体構造物。
【請求項６】
少なくとも２つの空間ユニット（３）が、前記デッキ構造体（２）上に互いに対向して、又は隣接して配置され、前記空間ユニット（３）の前記ウェット・スペース（６）及び前記外部サービス設備（５）が互いに対向して、又は隣接して配置され、且つ、前記空間ユニット（３）の前記外部サービス設備（５）には少なくとも１つのデッキ構造体貫通部（７）が設けられることを特徴とする、請求項１に記載の浮体構造物。
【請求項７】
前記空間ユニット（３）が、例えば、客室、居住空間、公共空間、又は浴室であることを特徴とする、請求項１に記載の浮体構造物。
【請求項８】
浮体構造物を建造するための方法であって、前記方法において、前記浮体構造物（１）には少なくとも１つのデッキ構造体（２）が設けられ、少なくとも１つの空間ユニット（３）にはウェット・スペース（６）及び外部サービス設備（５）が設けられ、前記少なくとも１つの空間ユニット（３）が前記デッキ構造体（２）上の所定の場所に据え付けられ、ここにおいて、前記デッキ構造体（２）にはデッキ面（２１）が設けられ、前記ウェット・スペース（６）には排出管（８）を有する床構造体（６１）が設けられ、前記外部サービス設備（５）には底部（５１）が設けられ、前記方法において、前記空間ユニット（３）が前記デッキ構造体（２）上に据え付けられる前に、少なくとも前記外部サービス設備（５）の前記底部（５１）の表面区域に相当する区域を有する少なくとも１つの凹部（２２、２２１、２２２）が、前記デッキ構造体（２）の所与の場所に形成され、ここにおいて、少なくとも前記外部サービス設備（５）の前記底部（５１）が前記デッキ面（２１）より下の高さに配置される、浮体構造物を構成するための方法において、少なくとも前記外部サービス設備（５１）の前記底部（５）によって提供された低表面区域（Ａ）において生じるあらゆる漏れが、漏れ検出器（１０）によって監視され、又は下水管（１１、１２）に導かれることを特徴とする方法。
【請求項９】
前記下水管（１１、１２）のための開口（５２）が、少なくとも前記外部サービス設備（５）の前記底部（５１）によって提供された前記低表面区域（Ａ）に形成されることを特徴とする、請求項８に記載の方法。
【請求項１０】
前記凹部（２２、２２１、２２２）が、壁と底部とを有する樋として形成されることを特徴とする、請求項８に記載の方法。
【請求項１１】
前記デッキ構造体組立体（２）に形成された前記凹部（２２、２２１、２２２）には、少なくとも、前記ウェット・スペース（６）の前記床構造体（６１）の表面区域、及び前記外部サービス設備（５）の前記底部（５１）の前記表面区域に相当する区域が設けられ、且つ、前記ウェット・スペース（６）の前記床構造体（６１）、及び前記外部サービス設備（５）の前記底部（５１）が、前記デッキ面（２１）より下の所与の高さに配置されることを特徴とする、請求項８に記載の方法。
【請求項１２】
前記凹部（２２、２２１、２２２）が、前記外部サービス設備の奥行（ｓ３）、又は前記ウェット・スペース（６）の奥行（ｓ４）に相当する幅（Ｌ１、Ｌ２）を有して形成されることを特徴とする、請求項８、１０、又は１１に記載の方法。
【請求項１３】
少なくとも２つの空間ユニット（３）が、空間ユニット（３）の前記ウェット・スペース（６）、及びそれに関連する外部サービス設備（５）が互いに対向して、又は隣接して配置されるように並んで据え付けられ、且つ、前記空間ユニット（３）の前記外部サービス設備（５）には少なくとも１つのデッキ構造体貫通部（７）が設けられることを特徴とする、請求項８に記載の方法。
【発明の詳細な説明】
【技術分野】
【０００１】
請求項１の前提部によれば、本発明は、少なくとも１つのデッキ構造体を備える浮体構造物に関し、デッキ構造体はデッキ面を有し、デッキ構造体上に少なくとも１つの空間ユニットが配置され、前記空間ユニットはウェット・スペース（ｗｅｔ  ｓｐａｃｅ）を含み、ウェット・スペースは所与の高さの床構造体を備え、床構造体には排出管が設けられ、且つ、前記空間ユニットには、底部を有する外部サービス設備（ｅｘｔｅｒｎａｌ  ｓｅｒｖｉｃｅ  ｆａｃｉｌｉｔｙ）が設けられ、デッキ構造体には凹部が設けられ、凹部の区域は、少なくとも１つの外部サービス設備の底部の少なくとも表面区域に相当し、ここにおいて、外部サービス設備の少なくとも底部はデッキ面より下の所与の高さにある。本発明はまた、請求項８の前提部によれば、浮体構造物を製造するための方法に関する。
【背景技術】
【０００２】
浮体構造物の製造、その上の空間ユニットの組立、及び予め製作される空間ユニットの製造、並びに浮体構造物上へのそれらの搬送及び据付は従来技術から知られている。空間ユニットには床を設けることができる、又は空間ユニットはいわゆる床なしの空間ユニットとすることができる。後者の場合、浮体構造物のデッキ構造体のデッキ面が空間ユニットの床となり、それは必要に応じて覆われる。
【０００３】
空間ユニットの境界の外側には、空間ユニットの内装品及びウェット・スペースの設備に接続される要素が設けられたサービス設備のための空間が構成される。これらの要素は、例えば、浮体構造物の雑排水配管、汚水配管、清水配管、凝縮水又は排水配管、冷却水配管、並びに／或いは消火水配管の一部を含む。例えば、衛生設備に関連する出入口取付具及び水配管がウェット・スペースに接続される。
【０００４】
従来、空間ユニットは、デッキ構造体に支持された層となって浮体構造物に配置されており、ここにおいて、上記の要素は、サービス設備にあるデッキ構造体貫通部に接続される。要素とデッキ構造体貫通部との間には、可撓継手部材が取り付けられることが多い。サービス設備は、慣習的にはデッキ面と同じ高さにある底部を有する。デッキ構造体貫通部は、層間を延在する配管システムに接続される。
【０００５】
これは、配管、管継手、及びデッキ構造体貫通部からの漏れに関係して、デッキ構造体のデッキ面に沿って、すなわち、実際には、空間ユニット、及び廊下などデッキ面の底部と同じ高さにある空間ユニットの周りの区域の両方全体に水が流れるという状況をもたらす。デッキ面又は空間ユニットの床は一般に合板、カーペットなどのさまざまなタイプの床張り材で覆われており、これによって漏れは検出される前にいっそう広い範囲にわたって流れる場合がある。これによって、手間がかかり、高い修理費がかかることになる。
【０００６】
さらに、空間ユニット内のウェット・スペースの床構造体は一般的には高くなっており、ウェット・スペース内のさまざまな部分からの廃水が重力によってサービス設備の底部（これもまた、上記のように、デッキ構造体と同じ高さになっている）の方へ下って、サービス設備の底部にあるデッキ構造体貫通部へ排出できるようになっている。排出管は、ウェット・スペース内で、所与の高さの床構造体の床面の下に取り付けられる。言い換えれば、排水管には十分な勾配が必要である。さらに、ウェット・スペースの床構造体を高くすると、空間ユニット内部を動くことがある程度妨げられる。
【０００７】
このようにウェット・スペースの床構造体を高くすると、別の結果として、空間ユニット及びウェット・スペースに、関連する工業規格及び標準を守るのに十分な天井高さを与えるために、空間ユニットの高さが高くなる。したがって、空間ユニット及びそのウェット・スペースのためにデッキ構造体間の垂直方向の間隔を十分とるために、浮体構造物のデッキ間距離を十分長くしなければならない。浮体構造物に関しては全高に制約があるため、デッキ間の距離が長くなるとデッキ構造体の数が制限される。典型的な例として、例えばクルーズ船を挙げることができ、これは一般に、できるだけ多くの客室（空間ユニット）、すなわち、実際には客室を支持するためのできるだけ多くのデッキ構造体を含むように構成される。他の浮体構造物と同様にクルーズ船の高さには、例えば、浮体構造物の安定性に関する制限がある。クルーズ船に載せる客室の数は、クルーズ・ビジネスの経済性の観点から違いが出てくる。空間ユニットはまた、実際の客室又は他の居住空間とは関係していない、例えば、浴室又は他の空間の場合がある。
【０００８】
米国特許第４，６２２，９１１号は、浴室に、デッキ面より下に配置された外部配管箱を設けるという解決策を開示している。この解決策は、浴室又はその接続部からの漏れを監視するための手段も制御するための手段もどちらも提供していない。
【先行技術文献】
【特許文献】
【０００９】
【特許文献１】米国特許第４，６２２，９１１号
【発明の概要】
【発明が解決しようとする課題】
【００１０】
本発明の目的は、上記問題を除去し、浮体構造物の観点、及び空間ユニットの居住者の観点の両方からできるだけ機能的な空間ユニット配置が設けられた浮体構造物を提供することである。この目的は、請求項１による浮体構造物で達成される。
【課題を解決するための手段】
【００１１】
本発明の基本的な考えは、ウェット・スペースからのあらゆる漏れを管理できるように、又はデッキ間高さを削減できるように、デッキ構造体の実際の高さを使用することである。
【００１２】
これは、空間ユニットに伴う外部サービス設備の底部、又は空間ユニット内のウェット・スペースの床構造体及び空間ユニットに伴う外部サービス設備の底部を、デッキ構造体のデッキ面より低い高さに配置することによって実現される。外部サービス設備の底部だけがデッキ構造体のデッキ面より下に延在する場合、生じ得るいかなる漏れも、漏れ部分が最も生じる可能性のあるサービス設備の境界までに限定される。代替として、ウェット・スペース自体も低くする場合には、すべての漏れ部分をよりまれなものであっても監視し制御することができ、都合よく船の構造体内を下方に導くことができる。これは、少なくとも外部サービス設備の底部によって形成された低表面区域に漏れ監視装置を設け、それによって、少なくとも外部サービス設備の底部によって形成された凹部の低表面区域で生じるいかなる漏れも監視され、或いは、下水管を設けて、少なくとも外部サービス設備の底部によって形成された凹部の低表面区域で生じるいかなる漏れも下水管に導かれ、言い換えれば、漏れは下水管によって受け入れられてさらに排出される、ことによって実現される。上記の代替では、低表面区域は、ウェット・スペースの低床構造体及び外部サービス設備の底部によって形成される。
【００１３】
この解決策によってもまた、デッキ面より下にある外部サービス設備の底部は、水をウェット・スペースから確実に流出させるような十分な勾配を与えるので、ウェット・スペースの床構造体の高さを下げることができる。ウェット・スペースの床構造体、好ましくはその全体もまたデッキ面より下の所与の高さで延在する場合、生じ得るいかなる水の漏れも、ウェット・スペース及びサービス設備の境界までに限定される。さらに、ウェット・スペースの床構造体の床表面がデッキ面と同じ高さにある場合、この配置もまた、デッキ間の距離を短くすることができる。空間の床の残りの部分に対するウェット・スペースの敷居の高さは、これによって低くすることができる、又は必要に応じて完全になくすことができる。
【００１４】
デッキ構造体には、外部サービス設備の奥行、又はウェット・スペースの奥行に相当する幅を有する少なくとも１つの凹部を設けることが好ましい。したがって、凹部は、外部サービス設備の奥行に相当する幅、又はウェット・スペースの奥行に相当する幅を有して、デッキ構造体にわたって、例えば、船の横方向又は長手方向に連続的に延在する連続的な凹部とすることができる。この場合、低表面区域は連続した凹部によって形成される。
【００１５】
凹部は、壁と底部とを有する樋の形態であり、ここにおいて、都合よく、いかなる漏れも凹部の境界内に含むことができる。
【００１６】
上記の凹部もまた、外部サービス設備の底部の表面区域、又はウェット・スペースの床構造体及び外部サービス設備の底部の両方の結合した表面区域に相当する区域で設計することができる。凹部のサイズは、いくつかの隣接する空間ユニットの外部サービス設備、又はいくつかの隣接する空間ユニットのウェット・スペース及びサービス設備に相当するように選択することができるのが好ましい。
【００１７】
したがって、デッキ構造体に形成される凹部は、壁と底部とを有する樋を形成し、ここにおいて、底部は低表面区域を形成する。したがって、いかなる漏れも凹部区域内に含むことができ、その区域は、外部サービス設備の底部、外部サービス設備の底部及びウェット・スペースの床構造体に相当する結合した区域、又はこれらのいくつかに相当することができる。さらに、凹部はいわゆる連続した凹部とすることができ、したがって、これは、デッキ構造体に沿って、外部サービス設備の底部又はウェット・スペースの床構造体の幅を有する樋を形成する。
【００１８】
これらの実施例のいずれも、以下の利点を別々に、又は組み合わせて提供することができる、すなわち、（ｉ）いかなる漏れも、凹部から広がらないように制御することができる、（ｉｉ）いかなる漏れも、凹部の底部で、最適な制御を可能にする場所に配置することができる漏れ検出器で監視することができる、（ｉｉｉ）いかなる漏れも、凹部の底部で、最適な制御を可能にする場所に配置することができる下水管に導くことができる、（ｉｖ）サービス設備又はウェット・スペースのいかなる漏れも、それらが互いに離れたところにあっても一緒に同様に制御することができる、（ｖ）これに加えて、本実施例によってデッキ間距離を短くすることができる、或いは、この代わりに、望む場合には、ウェット・スペースの自由高さを別々に、又は組み合わせて増大することができる。
【００１９】
空間ユニットのウェット・スペースに伴う外部サービス設備は、少なくとも１つのデッキ構造体貫通部を含むように構成されるのが好ましい。例えば、２つの空間ユニットが、それらのウェット・スペース、及びそれに関連した外部サービス設備を互いに向かい合って、又は隣り合って有するように、互いに隣接して配置される場合、外部サービス設備には単一の共通のデッキ構造体貫通部を設けることができるのが好ましい。これによって、デッキ構造体貫通部及びこれに関連する下水管システムの数がともに大幅に削減される。
【００２０】
空間ユニットは、好都合にも、例えば、客室、居住空間、公共空間、又は浴室とすることができる。
【００２１】
本発明のさらに都合の良い実施例を請求項２〜７に示す。本発明による方法を請求項８〜１３に示す。
【００２２】
次に、添付の概略図を参照して、単なる例によって本発明をより詳細に説明する。
【図面の簡単な説明】
【００２３】
【図１】浮体構造物の概略図である。
【図２】デッキ組立体の斜視図である。
【図３ａ】本発明の第１の実施例の図である。
【図３ｂ】本発明の第１の実施例の図である。
【図４ａ】本発明の第１の実施例の変形の図である。
【図４ｂ】本発明の第１の実施例の変形の図である。
【図５ａ】本発明の第２の実施例の図である。
【図５ｂ】本発明の第２の実施例の図である。
【図６】本発明の第３の実施例の図である。
【図７】本発明の第４の実施例の図である。
【図８】本発明の第１の実施例の別の変形の図である。
【図９】本発明の第２の実施例の変形の図である。
【図１０】本発明の代替又は補足的な実施例の図である。
【図１１】図１０の詳細の変形の図である。
【図１２】本発明の第５の実施例の図である。
【発明を実施するための形態】
【００２４】
図１には、浮体構造物が参照符号１で示されている。浮体構造物は、例えば、船又は掘削プラットフォームなどの船舶、或いは別のそのような構造物とすることができる。したがって、この後で説明する実施例はほとんど船に関するが、一般の浮体構造物にもまた適用される。
【００２５】
船体１００を有する浮体構造物１（例えば、クルーズ船）はデッキ構造体２を備え、デッキ構造体２はデッキ面２１（図２）を含み、いくつかの少なくとも部分的に備えられた空間ユニット３を収容する。空間ユニットは、現場で組み立てることができる、又は予め製作することができる。空間ユニット３の境界（壁）の外側に構成された外部サービス設備５内には、配管システム９が収められ、それらのいくつかは空間ユニット３の内装品に関係する。配管システム９は、外部サービス設備を通って、層状に配置されたデッキ構造体の間を延在し、ここにおいて、配管システム９はデッキ構造体貫通部７（図２）によってデッキ構造体を通り抜ける。サービス設備５は典型的には、空間ユニット３のウェット・スペース６（図２）の壁４の外側に配置される。典型的な配管システム９は、例えば、浮体構造物の雑排水配管、汚水配管、清水配管、凝縮水又は排水配管、冷却水配管、或いは消火水配管を含む。これらの配管システムは、一方では空間ユニットのウェット・スペースとの接続部、他方では、デッキ構造体貫通部との接続部が漏れやすい。さらに、空間ユニットのウェット・スペースの漏れが、ウェット・スペース６の床構造体６１（図３ａ、４ａ、５ａ）又はサービス設備５の底部５１（図３ａ、４ａ、５ａ）を直接通ってデッキ面２１に流れる場合がある。本発明の解決策は、従来技術の解決策の典型的な問題を除去することを意図している。
【００２６】
空間ユニットはまた、例えば、浴室、又は公共空間などの別の類似の空間の場合があり、それは、実際の客室又は他の居住空間とは関係していない。通常、このような空間にもまた、サービス設備が設けられる。
【００２７】
図２は、浮体構造物のデッキ面２１を含むデッキ構造体２の実例を示す。デッキ構造体上には、いくつかの空間ユニット３が、それに対するウェット・スペース６とともに搭載されている。一般的に適用される空間ユニットの構成では、隣接する空間ユニット３のウェット・スペース６は互いに向かい合って、又は隣り合って配置される。ウェット・スペース６の外側にあるサービス設備５もまた互いに向かい合って、又は隣り合って配置されるように、外部サービス設備５は通常、ウェット・スペースの壁４の外側に配置される。図２はまた、デッキ構造体貫通部７が各サービス設備５の底部５１（図３ａ、４ａ、５ａ）に関連してどのように配置されるかということを示している。これらのことを、本発明のさまざまな実施例を示す図３ａ〜５ｂを参照して、以下により詳細に論じる。
【００２８】
空間ユニットはまた、例えば、浴室、又は公共空間などの別の類似の空間の場合があり、それは、実際の客室又は他の居住空間とは関係していない。通常、このような空間にはサービス設備が設けられる。
【００２９】
図３ａ及び３ｂは本発明の第１の実施例を示す。図３ａ及び３ｂは、２つの隣にある空間ユニットに関して、隣接して又は対向して配置されたウェット・スペース６を示し、より具体的には、ウェット・スペース６の床構造体６１を示す。両方のウェット・スペース６には、外部サービス設備５が設けられ、それらもまた上記のように並んで配置されている。各サービス設備５の底部は参照符号５１で示されている。この実施例では、デッキ構造体２は凹部２２を有して形成され、凹部２２は両方のサービス設備５の底部５１の結合した表面区域に相当し、隣接するサービス設備の底部が、デッキ構造体２のデッキ面２１より下の特定の高さに延在するようになっている。言い換えれば、隣接するサービス設備５の底部は、デッキ構造体２のデッキ面２１よりも低い。このように、低表面区域Ａは、隣接するサービス設備５の両方の底部より成る。
【００３０】
ウェット・スペース６の床構造体６１は、デッキ構造体２のデッキ面２１の上部に取り付けられる。床構造体６１は通常、約１５０ｍｍの高さｈ１を有する。デッキ構造体２は通常、約３００〜５００ｍｍの高さｈ２を有する。サービス設備５は、デッキ構造体２のデッキ面２１より下の所与の高さに底部５１を有する、すなわち、底部５１は、デッキ面２１より下に所与の深さｓ１、例えば約６０ｍｍ、低くされている。排水管は、ウェット・スペースの高くされた（所与の高さを有する）床構造体６１の床面の下に取り付けられる。排水管は、確実に水が流出するように十分な勾配をもつことが必要である。
【００３１】
サービス設備５の底部５１の位置を下げることによって、サービス設備の底部にあるデッキ構造体貫通部７に向かって十分な勾配が得られ、したがって、ウェット・スペースから確実に水が排出される。したがって、デッキ構造体２にある凹部２２は、壁と底部を有する樋として形成され、したがって、これはサービス設備の底部の結合した表面区域に相当する。このように、低表面区域Ａは前記樋に形成される。これによって、生じ得るいかなる漏れも前記樋に含まれて集めることができる。
【００３２】
この実施例は、２組のデッキ構造体貫通部７で実現された。さまざまな配管システム９が、デッキ組立体貫通部７を通り抜け、ここにおいて、排水管８は、床構造体６１から延出して、通常の密閉配管（図示せず）を通って専用の下水管（汚水配管、雑排水配管など）に接続するように配置される。通常の密閉配管構造によって接続される排出管と下水管の数は変わり得る。
【００３３】
このように、本発明によれば、サービス設備及びデッキ構造体貫通部における漏れの場所は、たいてい、デッキ面より下の高さ、すなわち、サービス設備５の底部５１で生じ、ここにおいて、いかなる漏れもサービス設備の境界内に含むことができる。
【００３４】
漏れは、乾くか、又はサービス設備に設けられた下水道に導くことができる。サービス設備区域にはまた、あらゆる漏れを監視するための漏れ検出器を備えることができる（図８〜１０に関連して下記で詳細にさらに論じる）。
【００３５】
ウェット・スペース６の床構造体６１はまた、サービス設備の底部がデッキ面より低い高さにあるので、より急な勾配を与えることができる。
【００３６】
この実施例では、デッキ間の距離を短くすることはできない。
【００３７】
さらに、サービス設備の底部をデッキ面より下に低くすることによって、水をサービス設備内に導くための十分な勾配を確保できるようにウェット・スペースの床構造体もまた低くすることができる。したがって、床構造体を低くすることは、デッキ間の距離を短くする手段として用いることができる。ウェット・スペースの床構造体をわずかに約３０ｍｍ低くすることによっても、ウェット・スペースの高さはそれ自体デッキ間の距離を拘束するものではない。この場合、デッキ間の距離の高さは、空間ユニットの高さ、及びデッキ構造体に取り付ける際に空間ユニットが必要とする関連する搬送高さによって決まる。
【００３８】
図４ａ及び４ｂは本発明の第１の実施例の変形を示す。図４ａ及び４ｂは、２つの隣接する空間ユニットに関して、隣接して又は対向して配置されたウェット・スペース６を示し、より具体的には、ウェット・スペース６の床構造体６１を示す。両方のウェット・スペース６には、外部サービス設備５が設けられ、それらもまた上記のように並んで配置されている。各サービス設備５は参照符号５１で示される底部を有する。この実施例では、デッキ構造体２は凹部２２を有して形成され、凹部２２は両方のサービス設備５の底部５１の結合した表面区域に相当し、隣接するサービス設備の底部が、デッキ構造体２のデッキ面２１より下の特定の高さに延在するようになっている。言い換えれば、隣接するサービス設備の底部は、デッキ構造体２のデッキ面２１よりも低い。このように、低表面区域Ａは隣接するサービス設備５の両方の底部より成る。
【００３９】
ウェット・スペース６の床構造体６１は、デッキ構造体２のデッキ面２１の上部に取り付けられる。床構造体６１は通常、約１５０ｍｍの高さｈ１を有する。デッキ構造体２は通常、約３００〜５００ｍｍの高さｈ２を有する。サービス設備５は、デッキ構造体２のデッキ面２１より下の特定の高さに底部５１を有する。すなわち、底部５１は、デッキ面２１より下に所与の深さｓ１、例えば約６０ｍｍ、低くされている。排水管は、高くされた（所与の高さを有する）床構造体６１の床面の下に取り付けられる。排水管は、確実に水が流出するように十分な勾配をもつことが必要である。
【００４０】
サービス設備５の底部５１の位置を下げることによって、サービス設備の底部にある共通のデッキ構造体貫通部７に向かって十分な勾配が得られ、したがって、ウェット・スペースから確実に水が排出される。したがって、デッキ構造体２にある凹部２２は、壁と底部を有する樋として形成され、したがって、これはサービス設備の結合した底部に相当する。このように、低表面区域Ａは前記樋に形成される。これによって、生じ得るいかなる漏れも前記樋に含まれて集めることができる。
【００４１】
この実施例は、１つだけの共通のデッキ構造体貫通部７で実現された。さまざまな配管システム９が、デッキ構造体貫通部７を通り抜け、ここにおいて、排水管８は、床構造体６１から延出して、通常の密閉配管構造（図示せず）を通って専用の下水管（汚水配管、雑排水配管など）に接続するように配置される。通常の密閉配管構造によって接続される排水管と下水管の数は変わり得る。
【００４２】
サービス設備５の底部５１の位置を下げることによって、隣接して配置された両方の空間ユニットのウェット・スペース６からの水を共通のデッキ構造体貫通部７に向かって導くことができる。共通のデッキ構造体貫通部７は、各ウェット・スペースに対して特定のデッキ構造体貫通部を有する解決策（図３ａ及び３ｂの実施例）におけるものよりも、各ウェット・スペースからはより遠くに離れて配置されるが、それでも、サービス設備５の底部５１の位置を下げることによって、デッキ構造体貫通部が各ウェット・スペースからより遠くに離れて配置されているにもかかわらず、各ウェット・スペースからデッキ構造体貫通部の方へ延在する排出管８に対しては十分な勾配が可能となっている。
【００４３】
まず第一に、実際には、これによって、船上で必要なデッキ構造体貫通部の数が、各ウェット・スペースに対して専用のデッキ構造体貫通部を有する場合より少ないという利点がある。けれども、より重要な恩恵は、浮体構造物の配管システム９（図１）の数を決定的に削減することができるという事実にある。例えば、数千の客室と複数のデッキを有するクルーズ船では、配管システムの数を削減すると、これに関連する設置工事及びメンテナンスの削減、これによる負担重量の低減、及び漏れる可能性のある場所の減少に関して大きな差が生じる。
【００４４】
この実施例ではまた、サービス設備及びデッキ貫通部の漏れる可能性のある場所は、たいてい、デッキ面より低い高さにあり、したがって、いかなる漏れもサービス設備の境界内に含むことができる。
【００４５】
漏れは、乾くか、又はサービス設備に設けられた下水道に導くことができる。サービス設備区域にはまた、あらゆる漏れを監視するための漏れ検出器を備えることができる（図８〜１０に関連して下記で詳細にさらに論じる）。
【００４６】
上記のように、サービス設備の底部をデッキ面より下に低くすることによって、水をサービス設備内に導くための十分な勾配を確保できるようにウェット・スペースの床構造体もまた低くすることができる。したがって、床構造体を低くすることは、デッキ間の距離を短くする手段として用いることができる。ウェット・スペースの床構造体をわずかに約３０ｍｍ下げることによっても、ウェット・スペースの高さはそれ自体デッキ間の距離を拘束するものではない。この場合、デッキ間の距離の高さは、空間ユニットの高さ、及びデッキ構造体に取り付ける際に空間ユニットが必要とする関連する搬送高さによって決まる。
【００４７】
図５ａ及び５ｂは、本発明の第２の実施例を示す。図５ａ及び５ｂは、２つの隣接する空間ユニットに関して、隣接して又は対向して配置されたウェット・スペース６を示し、より具体的には、ウェット・スペース６の床構造体６１を示す。両方のウェット・スペースには、外部サービス設備５が設けられ、それらもまた上記のように並んで配置されている。各サービス設備５の底部は参照符号５１で示されている。
【００４８】
この実施例では、デッキ構造体２は凹部２２を有して形成され、凹部２２は両方のウェット・スペース６の床構造体６１の結合した表面区域、及び両方のサービス設備５の底部５１の結合した表面区域の両方に相当し、隣接するウェット・スペースの床構造体及び隣接するサービス設備の底部が、デッキ構造体２のデッキ面２１より下の特定の高さに延在するようになっている。言い換えれば、隣接する両方のウェット・スペースの床構造体、及び隣接する両方のサービス設備５の底部は、デッキ構造体２のデッキ面２１よりも低い。これは、ウェット・スペースの床構造体、及びサービス設備の底部が、デッキ面２１より下に所与の深さｓ２低くされていることを意味する。したがって、デッキ構造体にある凹部２２は、壁と底部とを有する樋として形成され、それによって、これは、両方のウェット・スペースの床構造体と両方のサービス設備の底部とによって成る共同の底部に相当する。これによって、生じ得る漏れはこの樋に含まれて集めることができる。このように、低表面区域Ａは前記樋の隣接する両方のサービス設備５の底部より形成される。
【００４９】
漏れは、乾くか、又はサービス設備に設けられた下水道に導くことができる。サービス設備はまた、あらゆる漏れを監視するための漏れ検出器を備えることができる（図８〜１０に関連して下記で詳細にさらに論じる）。
【００５０】
したがって、ウェット・スペース６の床構造体６１はデッキ面２１と同じ高さの床高さを有し、ウェット・スペース６の床構造体６１の底部及びサービス設備５の底部はデッキ面より下の同じ所与の高さにある。これによって、空間ユニット３、より詳細にはウェット・スペース６、のすべての漏れる可能性のある場所は、確実にデッキ面２１より低い高さに配置される。したがって、生じ得るすべての漏れを、低表面区域Ａを形成する低い区域内に完全に含むことができる。
【００５１】
この実施例は、２つのデッキ組立体貫通部７で実現された。さまざまな配管システム９が、デッキ構造体貫通部７を通り抜け、ここにおいて、排水管８は、ウェット・スペース６の床構造体６１から延出して、通常の密閉配管（図示せず）を通って専用の下水管（汚水配管、雑排水配管など）に接続するように配置される。この構成は図３ａ及び３ｂの構成に相当する。通常の密閉配管構造によって接続される排水管と下水管の数は変わり得る。
【００５２】
この実施例の状況では、図４ａ及び４ｂの実施例に関して上記したように、１つだけの共同デッキ構造体貫通部を使用することもまた可能である。これによって、この実施例でもまた同様に同じ恩恵を受けることができる。
【００５３】
床構造体６１は概ね約１５０ｍｍの高さｈ１を有し、デッキ構造体は概ね約３００〜５００ｍｍの高さｈ２を有する。したがって、ウェット・スペース６の床構造体６１及びサービス設備５の底部５１の両方が、デッキ構造体２内に構成された凹部２２にまで低くなっても、このことによってデッキ構造体に必要な特性が大きな影響を受けることはない。ウェット・スペースの床構造体及びサービス設備の底部が下げられる上記の深さｓ２は約１５０ｍｍであり、これにより、床構造体１の高さｈ１に相当する。
【００５４】
さらに、これによって、ウェット・スペースの床構造体と空間ユニットの残りの区域との間の敷居の高さを低くすることができ、又は完全になくすことができる。実際、これによって、デッキ間の構成を拘束する残る唯一のことが、空間ユニットの高さ、及びデッキ構造体に取り付ける際に空間ユニットが必要とする関連する搬送高さとなる。
【００５５】
上記の実施例に関して、デッキ構造体２内に構成される凹部２２は、サービス設備の底部５１の表面区域に等しくなるように、又はウェット・スペース６の床構造体６１とサービス設備５の底部５１の両方の結合した表面区域に等しくなるように設計された。さらに、空間ユニットは２つが並んで対で配置され、ここにおいて、当然、凹部は、２つの隣接したサービス設備の底部の結合した表面区域に相当するか、又は、ウェット・スペースと接続して配置された、及びウェット・スペース同士の間に配置された、２つの隣接したウェット・スペースの床構造体と２つの隣接したサービス設備の底部の両方の結合した表面区域に相当するという配置がこれらの実例によって開示されている。
【００５６】
凹部はまた、デッキ構造体上での空間ユニットのそれぞれの特定の配置に応じて、ほぼデッキ構造体の長さ又は奥行全体にわたって、すなわち、船のデッキ構造体の長手方向又は横方向に、連続的に延在するように構成することができる。このことは、図６及び７を参照して下記で論じられる。
【００５７】
図６は本発明の第３の実施例を示し、ここでは、デッキ構造体２は連続した凹部２２１を有して形成され、この連続した凹部２２１は、上記の凹部の壁と底部とを含み、いわゆる結合した漏れ樋を構成し、デッキ構造体２に沿って連続的に延在する。２つの隣接する空間ユニット３のウェット・スペース６及びサービス設備５は、空間ユニット間で向かい合うように配置される。外部サービス設備５は、参照符号ｓ３で示された特定の奥行を有する。このように、低表面区域Ａは前記樋に形成される。
【００５８】
デッキ構造体２内に構成された連続した凹部２２１はサービス設備５の奥行ｓ３に相当する幅Ｌ１を有する。例えば、空間ユニットがいわゆる床なしの空間ユニットの場合、連続した凹部２２１はウェット・スペース６の横で開放されたままとなる。生じた開放場所は、橋渡し部材２３、例えば１つの板、で覆われ、それによって、これは、それ自体空間ユニット３の床の一部分を構成する、デッキ構造体２から取り残されたデッキ面２１の部分に取って代わる。この実例では、１つの橋渡し部材２３がある。これらの数は、必要に応じて選択することができる（図７の実施例では、例えば、橋渡し部材の数は２つである）。この配置は、例えば、図３ａ〜４ｂの実施例とともに適用することができる。
【００５９】
図３ａ〜５ｂに関連して上記したように、漏れは、乾くか、或いはサービス設備、又は前記低表面区域Ａを形成する連続した凹部２２１の任意の所望の場所に配置された下水道に導くことができる。前記低表面区域Ａを形成するサービス設備区域又は連続した凹部２２１にもまた、あらゆる漏れを監視するための漏れ検出器を備えることができることが好ましい（図８〜１０に関連して下記で詳細にさらに論じる）。
【００６０】
図７は本発明の第４の実施例を示し、ここでは、デッキ構造体２は連続した凹部２２２を有して形成され、この連続した凹部２２２は、上記の凹部の壁と底部とを含み、いわゆる結合した漏れ樋を構成し、デッキ構造体２に沿って連続的に延在する。２つの隣接する空間ユニット３のウェット・スペース６及び外部サービス設備５は、空間ユニット間で向かい合うように配置される。ウェット・スペース６は、参照符号ｓ４で示された特定の奥行を有する。サービス設備の奥行ｓ３はウェット・スペースの奥行ｓ４より短い。このように、低表面区域Ａは前記樋に形成される。
【００６１】
デッキ構造体２内に構成された連続した凹部２２２はウェット・スペース６の奥行ｓ４に相当する幅Ｌ２を有する。例えば、空間ユニットがいわゆる床なしの空間ユニットの場合、連続した凹部２２２はウェット・スペース６の横で開放されたままとなる。生じた開放場所は、橋渡し部材２３、例えば板、で覆われ、それによって、これは、それ自体空間ユニット３の床の一部分を構成する、デッキ構造体２から取り残されたデッキ面２１の部分に取って代わる。この実例では、並んで配置された２つの橋渡し部材２３がある。これらの数は、必要に応じて選択することができる（図６の実施例では、例えば、橋渡し部材の数は１つである）。この配置は、例えば、図５ａ〜５ｂの実施例とともに適用することができる。
【００６２】
図３ａ〜５ｂに関連して上記したように、漏れは、乾くか、或いはサービス設備、又は低表面区域Ａを形成する連続した凹部２２２の所望の場所に配置された下水管によって下水道に導くことができる。サービス設備区域又は連続した凹部２２２の任意の所望の場所にもまた、漏れを監視するための漏れ検出器を備えることができることが好ましい（図８〜１０に関連して下記で詳細にさらに論じる）。
【００６３】
図６及び７の実施例は、２組のデッキ構造体貫通部を含むように示されている。明らかに、図４ａ及び４ｂに関連して論じたように、１つの共通のデッキ構造体貫通部でも同様に十分である。
【００６４】
以下では、図８〜１０を参照して、図３ａ〜７に関連して上記した、サービス設備への漏れを監視すること、及び漏れを下水道へ導くことを詳細にさらに論じる。
【００６５】
図８は、図３ａ及び３ｂに示したような第１の実施例の別の変形を示し、これもまた、図４ａ及び４ｂに関連して論じた実施例に適用することができる。
【００６６】
デッキ構造体貫通部７を通る配管システム９（図１）から生じる、又はこれらの配管システムの空間ユニット３のウェット・スペース６との接続部から生じる、又はウェット・スペース６のどこかよそから生じるいかなる漏れも、外部サービス設備５の底部がデッキ面２１より下の高さまで下げられているので、上記のように、外部サービス設備５の底部５１の区域に導かれて集められる。このようなあらゆる漏れを監視するために、低表面区域Ａを形成するサービス設備の底部５１には漏れ検出器１０が設けられる。漏れ検出器１０はさらに、いかなる漏れが生じたときにも警報を出すために監視システムに接続することができ、何らかの損傷を起こす前に漏れを止める対策を採ることができるようになっている。
【００６７】
図９は、図５ａ及び５ｂに関連して開示した第２の実施例の変形を示す。図８と比べて唯一の違いは、この変形では、ウェット・スペースの床構造体及びサービス設備の底部の両方がデッキ面２１より低い高さに配置されていることである。
【００６８】
図１０は、生じるあらゆる漏れを監視又は制御するための補足的な実施例を開示しており、図３ａ〜５ｂに関連して論じた実施例に直接適用することができる。
【００６９】
まず第１に、この実施例は、図８及び９に関連して上で開示したようなオプションの漏れ検出器１０を好都合に含むことができる。漏れを除去するため、すなわち水を外部サービス設備５の底部５１の区域から除去するために、下水管１１の形態の下水道が設けられ、これは、１つのデッキ構造体２のサービス設備５の底部５１に接続される。低表面区域Ａを形成する底部５１には開口５２が設けられ、開口５２は下水管１１に直接接続され、下水管１１はより低い次のデッキ構造体２まで下方に延在し、より低い次のデッキ構造体２のサービス設備５の底部５１の高さのすぐ上で終わる。この配置は、デッキ構造体の層全体で、さまざまなデッキ構造体２の間で繰り返すことができる。
【００７０】
デッキ構造体貫通部７を通る配管システム９（図１）から生じる、又はこれらの配管システムの空間ユニット３のウェット・スペース６との接続部から生じる、又はウェット・スペース６のどこかよそから生じるいかなる漏れも、サービス設備５の底部がデッキ面２１より下の高さまで下げられているので、上記のように、サービス設備５の底部５１の区域に導かれて集められる。いかなるこのような漏れも、サービス設備５の底部５の高さにある開口を通って下水管１１に流入し、さらにより低い次のデッキ面に流れ、最後に、漏れを集めて処分することができる船の構造体内を下方に流れるようにされる。したがって、デッキ構造体２の層に沿って、一連の下水管１１は、凹部内に集められたいかなる漏れも受け入れるように設けられる。
【００７１】
これに関係して説明されたもの以外の任意の程度で、図１〜５ｂに関連して開示されたものすべては、同様にこれらの実施例に対して有効である。
【００７２】
図１１は、図１０に関連して論じた下水管１１の配置の修正を示す。この修正は以下のように下水管１２を提供する。外部サービス設備の底部５１には、凹部からのあらゆる漏れを受け入れる開口５２が設けられ、これは、デッキ構造体２の層を通り抜ける下水管１２を取り囲むトラップ１３内につながり、したがって、連続した下水管を形成し、それは、図１０に関連して論じたようなデッキ毎に分離した配置とは異なる。漏れ又は水は、サービス設備５の底部区域から、低表面区域Ａを形成するサービス設備５の底部５１にある開口５２に流入し、さらに下水管１２と流れ接続するトラップ１３に流入し、下水管１２はデッキ構造体２及び各デッキ構造体に相応して配置されたトラップ１３を通り抜ける。水はトラップ１３に流入して、下水管１２を通ってさらに流れ落ちる。トラップの構成は、当業者には知られていると考えられるので、これに関して詳細には論じない。トラップ１３の利点は、あらゆるにおいが下水管１２から出て、周囲に出ること、より正確には、まずサービス設備５に出て、さらにそこから船内に出ることを防ぐことにある。
【００７３】
図１２は、上記の図６の実施例と大部分一致する第５の実施例を開示している。しかしながら、この実施例では、連続した樋２２１には、図１０に関連して説明したように、又は図１２にも示すように、漏れ監視装置１０及び下水管１１の両方が設けられている、或いは、図１１に関連して説明した下水管１２が設けられている。このように漏れ監視装置及び下水管は低表面区域Ａに配置される。このように組み合わせて漏れを管理することは当然、上記の実施例のすべてに提供することができる。
【００７４】
図１２はまた、排出管８が、通常の密閉配管を通って、配管システム９、すなわち、上記のような専用の下水管に接続されるようにどのように配置されるかということを示す。
【００７５】
図３ａ〜１２の実施例に関連して、空間ユニットは、主として客室であるように説明してきた。空間ユニットはまた、実際の客室又はいかなるの他の居住空間にも関係していない、例えば、浴室、又は公共空間などの別の空間とすることができる。このタイプの空間でさえ、通常、サービス設備が設けられる。したがって、浴室はそれ自体ウェット・スペースを構成する場合がある。
【００７６】
漏れ検出器１０、及び下水管１１又は下水管１２の配置は、図６及び７に関連して論じた実施例に対応するような態様で適用することができる。
【００７７】
説明、及びこれに関連する図面は、本発明の基本的な考えを明らかにすることを意図しているに過ぎない。本発明に従う詳細、例えば、空間ユニットの数、ウェット・スペース及びサービス設備の数及び位置、デッキ構造体に配置される凹部のサイズ及び形状、デッキ構造体貫通部の数及び位置などは次の特許請求の範囲の記載の範囲内で変更することができる。
【図１】
2017509540.tif 000003
【図２】
2017509540.tif 000004
【図３ａ】
2017509540.tif 000005
【図３ｂ】
2017509540.tif 000006
【図４ａ】
2017509540.tif 000007
【図４ｂ】
2017509540.tif 000008
【図５ａ】
2017509540.tif 000009
【図５ｂ】
2017509540.tif 000010
【図６】
2017509540.tif 000011
【図７】
2017509540.tif 000012
【図８】
2017509540.tif 000013
【図９】
2017509540.tif 000014
【図１０】
2017509540.tif 000015
【図１１】
2017509540.tif 000016
【図１２】
2017509540.tif 000017
【国際調査報告】
2017509540.tif 000018
2017509540.tif 000019